(57)【要約】【課題】保温時の消費電力量を極めて少なくするとともに、シンク下での配管作業が容易に実施可能な給湯装置を提供することを目的とする。【解決手段】貯湯用の容器８と、浄水装置９と、浄水装置９への給水経路１１と、容器８とシンク３に臨む水栓６の出湯口４とを連通する熱湯経路１３と、容器８内と蒸気口５を連通する蒸気経路１４と、容器８の側面および上面を覆い断熱する断熱体２０とを備え、断熱体２０は下方を開放させるとともに、熱湯経路１３と蒸気経路１４は断熱体２０の下方の開放部を通して水栓６と連通させ、各経路と装置本体２との結合部１５〜１７を装置本体２の下方位置に設けたものである。これによって、断熱体に経路の貫通部をなくし、保温時の消費電力量を極めて少なくすることができるとともに、結合部１５〜１７が装置本体２の下方位置にあるため、シンク下で配管作業が容易にできるものである。【選択図】図１
2007292416.tif 000002
【特許請求の範囲】
【請求項１】
加熱装置を有し装置本体に内蔵された貯湯用の容器と、容器への供給水を浄化する浄水装置と、浄水装置に給水する給水経路と、容器と装置本体を組み込むシンクキャビネットのシンクに臨む水栓の出湯口とを連通する熱湯経路と、容器内の上部空間と水栓の蒸気口を連通する蒸気経路と、容器の側面および上面を覆い断熱する断熱体とを備え、断熱体は下方を開放させるとともに、熱湯経路と蒸気経路は断熱体の下方の開放部を通して水栓と連通させ、給水経路、熱湯経路、蒸気経路と装置本体とのそれぞれの結合部を装置本体の下方位置に設けた給湯装置。
【請求項２】
浄水装置とシンクに臨む水栓の浄水口とを連通する浄水経路を備え、この浄水経路を熱湯経路と蒸気経路とともに断熱体の下方の開放部を通して水栓と連通させ、給水経路、熱湯経路、蒸気経路、浄水経路と装置本体とのそれぞれの結合部を装置本体の下方位置に設けた請求項１に記載の給湯装置。
【請求項３】
給水経路、熱湯経路、蒸気経路と装置本体とのそれぞれの結合部を断熱体の下方の開口部より下方に設けた請求項１に記載の給湯装置。
【請求項４】
給水経路、熱湯経路、蒸気経路、浄水経路と装置本体とのそれぞれの結合部を断熱体の下方の開口部より下方に設けた請求項２に記載の給湯装置。
【請求項５】
装置本体の側面にくぼみ部を設け、このくぼみ部にそれぞれの結合部を集中して配置した請求項３または４に記載の給湯装置。
【発明の詳細な説明】
【技術分野】
【０００１】
本発明は、一般家庭で使用する飲用、調理用のお湯をシンクへ供給するビルトインタイプの給湯装置に関するものである。
【背景技術】
【０００２】
従来、この種の給湯装置は、保温効果を高めるために、装置本体に内蔵された貯湯用の容器の上面と側面を覆って断熱体を設けている。また、熱湯経路や蒸気経路などが断熱体を貫通するとともに装置本体との結合部が装置本体の上部にある構成となっている（例えば、特許文献１参照）。
【特許文献１】特開２００５−１０６３２０号公報
【発明の開示】
【発明が解決しようとする課題】
【０００３】
しかしながら、前記従来の構成では、蒸気経路・給水経路やその他の構成部材が断熱体を貫通している構成のため、貯湯用の容器内における保温中の湯の熱エネルギーが、断熱体を貫通する経路の貫通部近傍から外部に熱の対流・伝導により放熱してしまい、保温時の消費電力量が大きく増加してしまうという課題を有していた。
【０００４】
また、熱湯経路や蒸気経路などの装置本体との結合部が装置本体の上部である構成のため、様々なシンクキャビネットの構成がある中で、例えばシンク下の設置スペースの高さ方向が低い場合などは、特に、シンク底部が配管作業の邪魔になり、結合の配管作業が困難になってしまうという課題を有していた。
【０００５】
本発明は、前記従来の課題を解決するもので、貯湯用の容器内における保温中の湯の熱エネルギーが放出されることを防ぎ、保温時の消費電力量を極めて少なくするとともに、シンク下の設置スペースの高さが低い場合でも配管作業が容易に実施可能な給湯装置を提供することを目的とする。
【課題を解決するための手段】
【０００６】
前記従来の課題を解決するために、本発明の給湯装置は、加熱装置を有し装置本体に内蔵された貯湯用の容器と、容器への供給水を浄化する浄水装置と、浄水装置に給水する給水経路と、容器と装置本体を組み込むシンクキャビネットのシンクに臨む水栓の出湯口とを連通する熱湯経路と、容器内の上部空間と水栓の蒸気口を連通する蒸気経路と、容器の側面および上面を覆い断熱する断熱体とを備え、断熱体は下方を開放させるとともに、熱湯経路と蒸気経路は断熱体の下方の開放部を通して水栓と連通させ、給水経路、熱湯経路、蒸気経路と装置本体とのそれぞれの結合部を装置本体の下方位置に設けたものである。
【０００７】
これによって、容器の側面と上面は断熱材で覆われ、断熱体には経路の貫通部がなく、そこからの湯の熱エネルギーの放出を防ぐことができ、保温時の消費電力量を極めて少なくすることができるとともに、給水経路、熱湯経路、蒸気経路と装置本体とのそれぞれの結合部を装置本体の下方位置に位置させたため、シンク下の設置スペースの高さが低い場合でも配管作業が容易にできるものである。
【発明の効果】
【０００８】
本発明の給湯装置は、貯湯用の容器内における保温中の湯の熱エネルギーが放出されることを防ぎ、保温時の消費電力量を極めて少なくするとともに、シンク下の設置スペースの高さが低い場合でも配管作業が容易に実施できる。
【発明を実施するための最良の形態】
【０００９】
第１の発明は、加熱装置を有し装置本体に内蔵された貯湯用の容器と、容器への供給水を浄化する浄水装置と、浄水装置に給水する給水経路と、容器と装置本体を組み込むシンクキャビネットのシンクに臨む水栓の出湯口とを連通する熱湯経路と、容器内の上部空間と水栓の蒸気口を連通する蒸気経路と、容器の側面および上面を覆い断熱する断熱体とを備え、断熱体は下方を開放させるとともに、熱湯経路と蒸気経路は断熱体の下方の開放部を通して水栓と連通させ、給水経路、熱湯経路、蒸気経路と装置本体とのそれぞれの結合部を装置本体の下方位置に設けた給湯装置とすることにより、容器の側面と上面は断熱材で覆われ、断熱体には経路の貫通部がなく、そこからの湯の熱エネルギーの放出を防ぐことができ、保温時の消費電力量を極めて少なくすることができるとともに、熱湯経路と蒸気経路と装置本体とのそれぞれの結合部を装置本体の下方位置に位置させたため、シンク下の設置スペースの高さが低い場合でも配管作業が容易にできるものである。
【００１０】
第２の発明は、特に、第１の発明において、浄水装置とシンクに臨む水栓の浄水口とを連通する浄水経路を備え、この浄水経路を熱湯経路と蒸気経路とともに断熱体の下方の開放部を通して水栓と連通させ、給水経路、熱湯経路、蒸気経路、浄水経路と装置本体とのそれぞれの結合部を装置本体の下方位置に設けたことにより、浄水経路を備えたものにあっても、第１の発明と同様、保温電力量を極めて少なくすることができ、また、シンク下の設置スペースの高さが低い場合でも配管作業が容易にできるものである。
【００１１】
第３の発明は、特に、第１の発明において、給水経路、熱湯経路、蒸気経路と装置本体とのそれぞれの結合部を断熱体の下方の開口部より下方に設けたことにより、保温時の消費電力量を大きく低減でき、より一層配管作業が容易にできる。
【００１２】
第４の発明は、特に、第２の発明において、給水経路、熱湯経路、蒸気経路、浄水経路と装置本体とのそれぞれの結合部を断熱体の下方の開口部より下方に設けたことにより、浄水経路を備えたものにあっても、第２の発明と同様、保温電力量を極めて少なくすることができ、より一層配管作業が容易にできる。
【００１３】
第５の発明は、特に、第３または第４の発明において、装置本体の側面にくぼみ部を設け、このくぼみ部にそれぞれの結合部を集中して配置したことにより、装置本体の寸法を小さくでき、装置本体のコンパクト化がはかれる。
【００１４】
以下、本発明の実施の形態について、図面を参照しながら説明する。なお、この実施の形態によって本発明が限定されるものではない。
【００１５】
（実施の形態１）
図１、図２は、本発明の実施の形態１における給湯装置を示すものである。
【００１６】
図１に示すように、給湯装置は、シンクキャビネット１内に組み込み収納された装置本体２と、シンクキャビネット１のシンク３に臨む出湯口４および蒸気口５を有する水栓６と、内部の液体を加熱・保温する加熱装置７を底部に有し、装置本体２の上方に内蔵された貯湯用の容器８と、容器８下方で装置本体２の下方外部に着脱可能に取り付けられ容器８への供給水を浄化する浄水装置９と、水道管１０から浄水装置９に給水する給水経路１１と、浄水装置９と容器８を連通する浄水経路１２と、容器８と水栓６の出湯口４を連通する熱湯経路１３と、容器８内の上部空間と水栓６の蒸気口５を連通する蒸気経路１４と、水道管１０と装置本体２を結合する給水経路１１の結合部１５と、装置本体２と水栓６とを連通する熱湯経路１３の結合部１６と、蒸気経路１４の結合部１７と、給水経路１１の途中の装置本体２内部に配した給水弁１８と、熱湯経路１３の途中の装置本体２内部に配したポンプなどの出湯装置１９と、容器８の側面および上面を覆い断熱する下方を開放させた断熱体２０と、電気制御を行う制御装置２１とを備えている。また、容器８の開口部は、シリコンゴムなどで液密に覆う蓋体２２が取り付けられている。
【００１７】
容器８内には、給水位置・満水位置・異常水位などの容器８内における複数の水位を検知する水位検知装置２３と、浄水経路１２により容器８内に供給された浄水を一時的に溜める浄水受皿２４と、浄水受皿２４内の浄水を容器８の底部にゆっくり導く導水パイプ２５とを有する。
【００１８】
熱湯経路１３の容器８側の流出口２６は、容器８底面より少し高い位置に開口されている。水栓６には、表示操作部２７を配置している。また、浄水装置９は中空糸膜と活性炭からなり水道水を浄化する。
【００１９】
制御装置２１は、給水弁１８・加熱装置７・出湯装置１９・表示操作部２７・容器８の水温センサー２８などの電気的制御を行う。
【００２０】
熱湯経路１３と蒸気経路１４は、断熱体２０を貫通させず、断熱体２０の下方の開放部を通して装置本体２内の容器８と水栓６を連通した構成としている。
【００２１】
蒸気経路１４は、最下端近傍から分岐し装置本体２下部の受皿２９に開口している。給水経路１１と装置本体２との結合部１５、および熱湯経路１３と蒸気経路１４の装置本体２側と、水栓６側との装置本体２における結合部１６、１７は、図２に示すように、装置本体２の下方に集中配置している。
【００２２】
なお、水道管１０は蛇口１０ａから直接シンク３へ水道水を供給することもできるものである。
【００２３】
以上のように構成された給湯装置について、以下にその動作、作用を説明する。
【００２４】
まず、水道水が給水弁１８の開口により給水経路１１を通じ浄水装置９に送られる。浄水装置９で浄化された水が浄水経路１２を通じ容器８に送られ、容器８の加熱装置７により加熱・保温される。
【００２５】
この時、一定量毎（例えば、約２００ｍｌ毎）に浄水受皿２４に給水し、その後、導水パイプ２５で加熱装置７部にゆっくり送られ所定温度まで加熱されることを繰り返し行い満水まで湯沸しを行う。
【００２６】
熱湯の使用は、水栓６の表示操作部２７の外部操作により、出湯装置１９により水栓６の出湯口４から熱湯を取り出す。容器８内の蒸気は蒸気経路１４を通じ水栓６の蒸気口５を介して外部に放出する。
【００２７】
この給湯装置は、いつでも使いたい時に熱いお湯が使えるように加熱装置７により保温を継続しているが、保温時、容器８内の熱湯からの熱は外部に逃げようとする。特に、熱は上方、次に横方向に逃げやすい。そのため、容器８の側面および上面を断熱体２０で覆っており、断熱体２０には経路の貫通部がない構成としているため、非常に効率よく断熱することができ、保温時の加熱装置７の消費電力量を大幅に削減できるとともに、装置本体２における結合部１５〜１７を、装置本体２の下方に集中配置しているため、様々なシンクキャビネット１の構成がある中で、例えば、シンク３下のスペースの高さ方向が低い場合でも、シンク３底部が結合部１５〜１７における配管作業の邪魔にならず、配管作業時に作業スペースが確保でき配管作業が容易に行うことができるものである。
【００２８】
（実施の形態２）
図３、図４は、本発明の実施の形態２における給湯装置を示すものである。実施の形態１と同一要素については、同一符号を付してその説明を省略する。
【００２９】
本実施の形態において実施の形態１と異なる点について以下に述べる。シンクキャビネット１の上面に設置された水栓６は、出湯口４と蒸気口５に加え浄水口３０を有する。
【００３０】
浄水経路１２は、浄水装置９と容器８を連通し、かつ浄水経路１２の途中から分岐し水栓６の浄水口３０に連通し、この浄水経路１２の分岐部分に切替弁３１を配した。
【００３１】
熱湯経路１３と蒸気経路１４に加え、浄水経路１２も断熱体２０を貫通させず、断熱体２０の下方の開口部を通して装置本体２内の容器８と水栓６の間の経路を構成している。
【００３２】
また、浄水経路１２の装置本体２側と水栓６側との装置本体２における結合部３２を、結合部１５〜１７と同様に、装置本体２の下方に集中配置している。
【００３３】
以上のように構成された給湯装置について、以下にその動作、作用について説明する。
【００３４】
浄水を出す場合、水栓６の表示操作部２７の操作により給水弁１８と切替弁３１が動作し浄水装置９と水栓６の浄水口３０が連通し浄水を出すことができる。
【００３５】
この構成において、浄水経路１２の結合部３２も、結合部１５〜１７と同様に、装置本体２の下方に集中配置しているので、容器８からの熱ロスを低減できることに加え、シンク３下の設置スペースの高さが低い場合でも結合部１５〜１７、３２を装置本体２の下方位置に位置させたため、配管作業時に作業スペースが確保でき配管作業が容易に行うことができるものである。
【００３６】
（実施の形態３）
図５、図６は、本発明の実施の形態３における給湯装置を示すものである。実施の形態１と同一要素については、同一符号を付してその説明を省略する。
【００３７】
本実施の形態においては、給水経路１１、熱湯経路１３、蒸気経路１４と装置本体２とのそれぞれの結合部１５〜１７を断熱体２０の下方の開口部より下方に設けたものである。
【００３８】
これにより、実施の形態１と同様、保温時の消費電力量を大きく低減できることはもちろんのこと、より一層配管作業が容易にできるものである。
【００３９】
具体的には、図に示すように、結合部１５〜１７を断熱体２０の下方の開口部より下方に設けたため、装置本体２の側面にくぼみ部３３を設けることができ、そのくぼみ部３３にそれぞれの結合部１５〜１７を集中して配置することにより、装置本体２の寸法を小さくでき、装置本体のコンパクト化がはかれる。くぼみ部３３を図のように設けると、装置本体２の幅寸法が小さくなるものである。
【００４０】
（実施の形態４）
図７、図８は、本発明の実施の形態４における給湯装置を示すものである。実施の形態２と同一要素については、同一符号を付してその説明を省略する。
【００４１】
本実施の形態においては、給水経路１１、熱湯経路１３、蒸気経路１４、浄水経路１２と装置本体２とのそれぞれの結合部１５〜１７、３２を断熱体２０の下方の開口部より下方に設けたことにより、浄水経路１２を備えたものにあっても、実施の形態２と同様、保温電力量を極めて少なくすることができることはもちろんのこと、より一層配管作業が容易にできる。
【００４２】
具体的には、図に示すように、結合部１５〜１７、３２を断熱体２０の下方の開口部より下方に設けたため、装置本体２の側面にくぼみ部３３を設けることができ、そのくぼみ部３３にそれぞれの結合部１５〜１７、３２を集中して配置することにより、装置本体２の寸法を小さくでき、装置本体のコンパクト化がはかれる。くぼみ部３３を図のように設けると、浄水経路１２を備えたものにあっても、装置本体２の幅寸法が小さくなるものである。
【産業上の利用可能性】
【００４３】
以上のように、本発明にかかる給湯装置は、貯湯用の容器内における保温中の湯の熱エネルギーが放出されることを防ぎ、保温時の消費電力量を極めて少なくするとともに、シンク下の設置スペースの高さが低い場合でも配管作業が容易に実施できるので、貯湯タンク式の給湯装置（電気式に限らず、ガス式なども含む）全般に適用できる。
【図面の簡単な説明】
【００４４】
【図１】本発明の実施の形態１における給湯装置の全体構成を示す断面図
【図２】同給湯装置の要部外観斜視図
【図３】本発明の実施の形態２における給湯装置の全体構成を示す断面図
【図４】同給湯装置の要部外観斜視図
【図５】本発明の実施の形態３における給湯装置の全体構成を示す断面図
【図６】同給湯装置の要部外観斜視図
【図７】本発明の実施の形態４における給湯装置の全体構成を示す断面図
【図８】同給湯装置の要部外観斜視図
【符号の説明】
【００４５】
１  シンクキャビネット
２  装置本体
３  シンク
４  出湯口
５  蒸気口
６  水栓
８  容器
９  浄水装置
１１  給水経路
１２  浄水経路
１３  熱湯経路
１４  蒸気経路
１５、１６、１７、３２  結合部
２０  断熱体
３３  くぼみ部
【図１】
2007292416.tif 000003
【図２】
2007292416.tif 000004
【図３】
2007292416.tif 000005
【図４】
2007292416.tif 000006
【図５】
2007292416.tif 000007
【図６】
2007292416.tif 000008
【図７】
2007292416.tif 000009
【図８】
2007292416.tif 000010